(57)【要約】      （修正有）【課題】皮膚面に照射されたレーザ光による美容処理の作用を実演する。【解決手段】この美容処理作用実演装置では、皮膚の奥側の色素の濃い毛根部分にレーザ光Ｌを照射し毛母細胞の蛋白質変成を促進させて毛の成長を抑制させる脱毛処理を想定し、第１の風船ユニット１５の肌色の風船１５ｈの内側の黒色の風船１５ｂのみを破裂させることで、脱毛処理の作用を実演する。また、肌面の表皮において色素の濃いアザ、シミ、ソバカスなどのメラニンを除去する美肌処理を想定して、第２の風船ユニットの肌色の風船の外側の黒色の風船のみを破裂させることで、美肌処理の作用を実演する。【選択図】図８ａ
0003112708.tif 000002
【実用新案登録請求の範囲】
【請求項１】
透光性を有する風船の内側に黒色の風船を配置した第１の風船ユニットと、
前記内側に配置した黒色の風船のみを光の吸収作用によって破裂させる所定の照射パワーのレーザ光を、前記第１の風船ユニットに向けて照射するレーザ照射機構と、
を具備することを特徴とする美容処理作用実演装置。
【請求項２】
前記透光性を有する風船の外側に前記黒色の風船を配置した第２の風船ユニットをさらに備え、
前記レーザ照射機構は、前記外側に配置した黒色の風船のみを光の吸収作用によって破裂させる所定の照射パワーのレーザ光を、前記第２の風船ユニットに向けて照射することを特徴とする請求項１記載の美容処理作用実演装置。
【請求項３】
前記透光性を有する風船は、肌色に着色されていることを特徴とする請求項１又は２記載の美容処理作用実演装置。
【請求項４】
前記透光性を有する風船は、透明又は半透明であることを特徴とする請求項１又は２記載の美容処理作用実演装置。
【考案の詳細な説明】
【技術分野】
【０００１】
本考案は、皮膚面に照射されたレーザ光による美容処理の作用を説明するための美容処理作用実演装置に関する。
【背景技術】
【０００２】
一般に、エネルギ密度の高いレーザ光を皮膚面に照射して皮膚の生体組織を加温すること等で、皮膚の細胞組織の活性化を図り、美肌や育毛などのトリートメントを行えるレーザ光照射型の美容処理装置が知られている。
【０００３】
この種の美容処理装置では、皮膚面へ照射されるレーザ光のパワーや照射時間を適宜設定することで、上記美肌処理や育毛に加え、脱毛や痩身などのトリートメントを行うことも可能である。
【考案の開示】
【考案が解決しようとする課題】
【０００４】
ところで、このような美容処理装置では、上述したように、エネルギ密度の高いレーザ光を取り扱うものであるため、ユーザサイドとしては、皮膚面における美容処理の非対象部分へのレーザ光の影響が懸念されるとともに、またその一方で、美容処理の対象部分へ所望とする美容処理効果が確実に付与されていることを把握しておきたいところである。
【０００５】
そこで本考案は、上記事情を考慮してなされたもので、皮膚面に照射されたレーザ光による美容処理の作用を実演することができる美容処理作用実演装置の提供を目的とする。
【課題を解決するための手段】
【０００６】
上記目的を達成するために、本考案に係る美容処理作用実演装置は、透光性を有する風船の内側に黒色の風船を配置した第１の風船ユニットと、前記内側に配置した黒色の風船のみを光の吸収作用によって破裂させる所定の照射パワーのレーザ光を、前記第１の風船ユニットに向けて照射するレーザ照射機構と、を具備することを特徴とする。
【０００７】
また、本考案に係る美容処理作用実演装置は、前記透光性を有する風船の外側に前記黒色の風船を配置した第２の風船ユニットをさらに備え、前記レーザ照射機構が、前記外側に配置した黒色の風船のみを光の吸収作用によって破裂させる所定の照射パワーのレーザ光を、前記第２の風船ユニットに向けて照射することを特徴とする。
【０００８】
ここで、本考案において、前記透光性を有する風船は、人体の肌面の色に対応するように、肌色に着色されていてもよいし、また、レーザ光の透過性を高めるために、透明又は半透明にしてもよい。
【０００９】
本考案では、黒色に色素が近付く（濃い色素）ほど、光のエネルギが集まり易くなる光の吸収特性を利用して、所定の照射パワーに設定されたレーザ光を、各風船ユニットに照射することで、透光性を有する例えば肌色の風船を破裂させることなく、この肌色の風船の内側又は外側に配置された黒色の風船のみを破裂させることを実演することができる。
【００１０】
したがって、本考案によれば、美肌処理を想定して、上記肌色の風船の外側の黒色の風船のみを破裂させる実演では、肌面の表皮において色素の濃いアザ、シミ、ソバカスなどを構成するメラニンにレーザ光が集まり易くなって、この部位が比較的高い温度に昇温して熱変性が誘起され、これにより、アザ、シミ、ソバカスなどが効果的に除去されることをユーザが容易に把握することができる。また、一方で、美肌処理の対象外となるシミやソバカスのない肌色の部位、つまり色素の薄い部位には、レーザ光のエネルギが集まり難い傾向となるため、美容処理の非対象部分の皮膚面ではレーザ光の影響が軽減されることをユーザ側に知らしめることができる。
【００１１】
また、本考案によれば、レーザ光を毛根部分に照射し毛母細胞の蛋白質変成を促進させて毛の成長を抑制させる脱毛処理を想定して、例えば肌色の風船の内側の黒色の風船のみを破裂させる実演では、皮膚の奥側の色素の濃い毛根部分にレーザ光が集まり易く、一方、毛根部分以外の肌色の皮膚面にはレーザ光が集まり難い傾向となることをユーザサイドで容易に把握することができる。
【考案の効果】
【００１２】
このように、本考案によれば、皮膚面に照射されたレーザ光による美容処理の作用を実演することの可能な美容処理作用実演装置の提供を目的とする。
【考案を実施するための最良の形態】
【００１３】
以下、本考案を実施するための最良の形態を図面に基づき説明する。
図１は、本考案の実施形態に係る美容処理作用実演装置を示す斜視図、図２は、美容処理作用実演装置を構成するトリートメント装置が備えたレーザ照射装置を示す正面図である。また、図３は、このレーザ照射装置を側面からみた断面図、図４は、このレーザ照射装置のヘッド部を示す斜視図、図５は、このヘッド部を側面からみた断面図である。さらに、図６は、このトリートメント装置の制御系を機能的に示すブロック図、図７は、その制御系の一部を構成するタッチセンサ回路を機能的に示すブロック図である。
【００１４】
図１に示すように、この美容処理作用実演装置１は、透光性を有する肌色の風船１５ｈの内側に黒色の風船１５ｂを配置した第１の風船ユニット１５と、肌色の風船１６ｈの外側に黒色の風船１６ｂを配置した第２の風船ユニット１６と、黒色の風船１５ｂ、１６ｂのみを光の吸収作用によって破裂させる所定の照射パワーのレーザ光Ｌを、第１又は第２の風船ユニット１５、１６に向けて照射するレーザ照射機構を備えたトリートメント装置３とから構成される。
【００１５】
図１に示すように、美容処理作用実演装置１が備えるトリートメント装置３は、ユーザが自身で、トリートメントを行うための美容処理装置であって、コントローラ兼器具収容ボックス（以下、「コントロールボックス」と称する）２と、このコントロールボックス２に接続ケーブル１２を通じて接続されたレーザ照射装置５とを備える。
【００１６】
コントロールボックス２の前面には、トリートメント装置本体を操作するための案内情報や装置の動作状態等が視覚的に表示される表示パネル６と、接続ケーブル１２の接続端子（プラグ）を取り付けるソケット７などが設けられている。また、コントロールボックス２には、レーザ照射装置５へ電力を供給するための電源や、レーザ照射装置５からのレーザ光の照射を制御する制御回路が内蔵されている。
【００１７】
さらに、このコントロールボックス２の前面には、この美容処理装置本体の電源のオン／オフを行う電源スイッチ８と、電源のオン／オフの状態を示すＬＥＤ９と、各種設定を行う設定スイッチ１０と、各設定状態を視覚的に示すＬＥＤ１１とが設けられている。
【００１８】
また、図２及び図３に示すように、レーザ照射装置５は、ユーザが手で持ってトリートメントを行うハンディタイプの装置である。すなわち、レーザ照射装置５は、装置の外郭を形成するケース１４と、このケース１４の内部に基板２６を介して搭載された制御チップ３０と、ケース１４の前面に設けられた設定スイッチ２９と、レーザ光Ｌを放射する光源としてのレーザダイオード２０と（図６参照）、レーザダイオード２０の熱を除去するヒートシンク２１と、ヒートシンク２１を冷却する冷却ファン２７と、レーザダイオード２０から出射されたレーザ光Ｌを導光しつつレーザ照射口２３からレーザ光Ｌを身体の皮膚面に照射する棒状の導光レンズ２４とから主に構成されている。
【００１９】
設定スイッチ２９は、図２に示すように、トリートメント装置本体の電源をレーザ照射装置５側でオン／オフし、ＬＥＤランプ２８の点灯／非点灯によりこれをユーザに報知する。また、設定スイッチ２９は、本体側の設定スイッチ１０とほぼ同様の機能を有しており、間欠（パルス）照射されるレーザ光のオンタイム（照射時間及びその照射サイクル）を設定するためのものである。すなわち、設定スイッチ２９を１回押す度に電源オン、オンタイムの切換え、電源オフの順にモードが切換わる。この際、ＬＥＤランプ２８は、設定レベル１〜６に対応して緑色点灯から緑色点滅、橙色点灯、橙色点滅、赤色点灯、赤色点滅の順に表示が切換わる。また、最後に、設定スイッチ２９を例えば１．５秒以上押し続けると、電源がオフとなる。
【００２０】
ヒートシンク２１は、レーザダイオード２０の動作時の発熱を熱伝導によって拡散させて性能の低下を抑える。このため、ヒートシンク２１は、熱伝導率のよいアルミニウム又はその合金等で鋳造され、また、表面積を増やすために複数の貫通孔を備え放熱効果が高められている。
【００２１】
レーザダイオード２０は、ＧａＡｓ（ガリウムアルセナイド）等の化合物半導体を用いたＰＮ接合ダイオードに直接電流を流して励起し、レーザ発振を得る。このレーザダイオード２０としては、例えば波長７００〜９００ｎｍ、光出力５ｍＷ〜５Ｗのレーザ光を放射することが可能な半導体素子が適用されている。
【００２２】
このようなレーザ光Ｌは、光電気反応、光磁気反応、光力学反応、光化学反応、光免疫反応、光酵素反応等を誘起させる効果があり、光生物学的活性化により生体組織の新陳代謝を促して皮膚血行を高め、また、水分や血液に吸収され難いため、優れた皮膚深部への到達性を有する。
【００２３】
ここで、トリートメント装置３により実現可能な各種トリーメントについて簡単に説明する。
レーザ光Ｌは、他の光に比べてエネルギ密度が高いため、生体組織に照射した場合、照射部分の温度を比較的容易に上昇させることができる。これにより、レーザ光Ｌは、生体組織の所望の部位の蛋白質の変成等を意図的に引き起こさせる光熱反応や、また、代謝機能を促進するための、いわゆる非熱反応（４０°Ｃを超えない程度の比較的低い温度で起こる光化学反応、光磁気反応、イオン化反応などの生体反応）を誘起させることが可能である。
【００２４】
すなわちトリートメント装置３は、レーザパワーや照射時間等を適宜設定して人体の皮膚面へレーザ光Ｌを照射することで、育毛、脱毛、美肌、痩身などのトリートメントを実現する。
育毛トリートメントは、エネルギ密度を比較的低く設定したレーザ光Ｌを頭皮表面に照射することで行われる。これにより、頭皮の血行が促進されて毛穴が開き、毛穴に詰まった皮脂や汚れが洗浄されることで育毛効果が得られる。一方、脱毛トリートメントは、エネルギ密度を比較的高く設定したレーザ光Ｌを体毛などの毛根に照射することで実現される。この場合、体毛等の毛母細胞の蛋白質の変成が促進されることにより、毛の成長が抑制され脱毛効果が得られる。
【００２５】
また、美肌トリートメントを行う場合においては、皮膚の表皮や真皮に散在するメラニンが比較的高い温度に昇温されるようにレーザ光Ｌを照射し、光熱作用によって熱変性を引き起こさせ、アザ、シミ、ソバカスなどを除去する。また、痩身トリートメントを行う場合においては、交感神経と関連の深い特定のツボに比較的エネルギ密度の低いレーザ光Ｌを供給し、光化学反応、光磁気反応、イオン化反応等による非熱作用によってツボを刺激して血行を促し、これにより、細胞組織を活性化して代謝機能を高め余分な脂肪を燃焼させる。
【００２６】
次に、トリートメント装置３の制御系について説明する。
すなわち、トリートメント装置３の制御系３７は、図６に示すように、各接触子２５ａ、２５ｂ、２５ｃの皮膚面への接触を検出しレーザダイオード２０からの光の放射／非放射を実質的に制御する後述のタッチセンサ回路３９と、レーザ光Ｌの照射パターンが記憶されたメモリ４０と、設定スイッチ１０や設定スイッチ２９による設定内容に応じてトリートメントのモードを切り替えるためのモード切替回路３８と、レーザダイオード２０を駆動してレーザ光を放射させるレーザ駆動回路２２と、これらの回路を統括的に制御するＣＰＵ３１と、タッチセンサ回路３９及びレーザ駆動回路２２とＣＰＵ３１とを接続するインタフェース３２などとから構成されている。
【００２７】
メモリ４０には、レーザダイオード２０から所定の照射時間で間欠的に照射されるレーザ光の照射タイミングの設定値などを含む各種プログラムが記憶されている。レーザ駆動回路２２は、ＣＰＵ３１の制御下でレーザダイオード２０に所定の駆動電流電圧を供給し、レーザダイオード２０よりレーザ光を放射させる。
【００２８】
ここで、本実施形態のトリートメント装置３が備えるタッチセンサ機構について主に図３ないし図７に基づき詳述する。
すなわち、トリートメント装置３は、図３〜図６に示すように、トリートメント対象の皮膚面にレーザ光Ｌをレーザ照射口２３より照射可能なレーザ駆動回路２２、レーザダイオード２０及び導光レンズ２４などからなるレーザ光照射機構と、レーザ照射口２３からレーザ光Ｌの照射方向に突出し且つこのレーザ照射口２３を包囲するように配置された少なくとも３つ以上（本実施形態では３つ）の上記接触子２５ａ、２５ｂ、２５ｃと、これらの各接触子（全部の接触子）と皮膚面との接触を検出して、ＣＰＵ３１の制御下で上記光照射機構を作動させるタッチセンサ回路３９とを備える。
【００２９】
ここで、各接触子２５ａ、２５ｂ、２５ｃは、図４及び図５に示すように、トリートメント対象の皮膚面とレーザ照射口２３とを確実に対向させた状態で、レーザ光の照射を開始させるための好ましいレイアウトで配置されている。すなわち、これらの接触子２５ａ、２５ｂ、２５ｃは、レーザ照射口２３の外周縁上に設けられ、且つこの外周縁を周回する方向にほぼ等しい間隔を空けてそれぞれ配置されている。詳細には、円形状に穿孔されたレーザ照射口２３の外周縁に内接し得る正三角形の三つの頂点部分に各接触子２５ａ、２５ｂ、２５ｃがそれぞれ配置されている。
【００３０】
タッチセンサ回路３９は、図６及び図７に示すように、各接触子２５ａ、２５ｂ、２５ｃが皮膚に接触したときに発生する微弱な交流電圧を、それぞれ帯域フィルタ３３、整流回路３４、増幅器３５を介して直流電圧に変換し、これを波形整形、レベル調整、オフセット調整した後、Ａ／Ｄ変換器３６、インタフェース３２を介してＣＰＵ３１に入力するように構成されている。なお、タッチセンサ回路３９は、接点式の他、静電容量や抵抗等のインピーダンス変化を検知するものや、圧電素子によって圧力変化を検知するものでもよい。
【００３１】
タッチセンサ回路３９は、以上のような構成で、各接触子２５ａ、２５ｂ、２５ｃの電圧値を読み込んで所定の交流電圧が発生しているか否かを判定し、各接触子２５ａ、２５ｂ、２５ｃのそれぞれに所定の交流電圧が発生しているとき、レーザダイオード２０のレーザ駆動回路２２にオン信号を出力する。すなわち、レーザ照射装置５は、各接触子２５ａ、２５ｂ、２５ｃを全て皮膚面に接触させてはじめてレーザ光が照射されるように構成されている。これにより、意図しない生体部分に誤ってレーザ光が照射されてしまうおそれがなく装置の安全性が高められている。このようなタッチセンサ回路３９は、レーザ照射装置５に内蔵された例えば前記制御チップ３０によって実現されている。
【００３２】
次に、本実施形態の美容処理作用実演装置１が備える、皮膚面に照射されたレーザ光による美容処理の作用を実演するための機能について、図８ａ、図８ｂ、図９ａ及び図９ｂに基づきその説明を行う。ここで、図８ａは、レーザ照射装置５のヘッド部１８から第１の風船ユニット１５に向けてレーザ光Ｌの照射を開始した直後の状態を示す図、図９ｂは、レーザ光Ｌの照射により第１の風船ユニット１５の内側の黒色の風船１５ｂが破裂した（割れた）状態を示す図である。図９ａは、レーザ照射装置５のヘッド部１８から第２の風船ユニット１６に向けてレーザ光Ｌを照射している状態を示す図、図９ｂは、レーザ光Ｌの照射により第２の風船ユニット１６の外側の黒色の風船１６ｂが破裂した（割れた）状態を示す図である。
【００３３】
この実施形態の美容処理作用実演装置１は、黒色に色素が近付く（濃い色素）ほど、光のエネルギが集まり易くなる光の吸収特性を利用して、所定の照射パワーに設定されたレーザ光Ｌを、各風船ユニット１５、１６に照射することで、肌色の風船１５を破裂させることなく、この肌色の風船１５ｈ、１６ｈの内側又は外側に配置された黒色の風船１５ｂ、１６ｂのみを破裂させることを実演するものである。
【００３４】
すなわち、美容処理作用実演装置１によれば、レーザ光Ｌを毛根部分に照射し毛母細胞の蛋白質変成を促進させて毛の成長を抑制させる脱毛処理を想定して、図８ａ、図８ｂに示すように、第１の風船ユニット１５の肌色の風船１５ｈの内側の黒色の風船１５ｂのみを破裂させる実演では、皮膚の奥側の色素の濃い毛根部分にレーザ光が集まり易く、これに対して、毛根部分以外の肌色の皮膚面にはレーザ光が集まり難い傾向となることをユーザサイドで容易に把握することができる。
【００３５】
また、美容処理作用実演装置１によれば、図９ａ、図９ｂに示すように、美肌処理を想定して、第２の風船ユニット１６の肌色の風船１６ｈの外側の黒色の風船１６ｂのみを破裂させる実演では、肌面の表皮において色素の濃いアザ、シミ、ソバカスなどを構成するメラニンにレーザ光が集まり易くなって、この部位が比較的高い温度に昇温して熱変性が誘起され、これにより、アザ、シミ、ソバカスなどが効果的に除去されることをユーザが容易に把握することができる。また、これに対して、美肌処理の対象外となるシミやソバカスのない肌色の部位、つまり色素の薄い部位には、レーザ光のエネルギが集まり難い傾向となるため、美容処理の非対象部分（シミやソバカス部分以外）の皮膚面ではレーザ光Ｌの影響が軽減されることをユーザ側に知らしめることができる。
【００３６】
以上、本考案を実施の形態により具体的に説明したが、本考案はこの実施形態にのみ限定されるものではなく、その要旨を逸脱しない範囲で種々変更可能である。例えば、上述した実施形態では、図８ａに示したように、肌色の風船１５ｈの内側に黒色の１つの風船１５ｂを配置した第１の風船ユニット１５を適用していたが、これに代えて、図１０に示すように、肌色の風船１５ｈの内側に複数（図１０では例えば４つ）の黒色の風船１７ｂを配置した第１の風船ユニット１７を適用し、黒色の複数の風船１７ｂを破裂させる実演を行ってもよい。また、上記実施形態では、美肌処理及び脱毛処理を実演する態様について説明したが、勿論脱毛処理と同様に育毛処理を実演するようにしてもよい。さらに、上記実施形態では、黒色の風船と対の風船として、肌色の風船を適用していたが、これに代えて、半透明の風船や無色透明の風船を適用することなども可能である。
【図面の簡単な説明】
【００３７】
【図１】本考案の実施形態に係る美容処理作用実演装置を示す斜視図。
【図２】図１の美容処理作用実演装置を構成するトリートメント装置が備えたレーザ照射装置を示す正面図。
【図３】図２のレーザ照射装置を側面からみた断面図。
【図４】図２のレーザ照射装置のヘッド部を示す斜視図。
【図５】図４のヘッド部を側面からみた断面図。
【図６】図１の美容処理作用実演装置を構成するトリートメント装置の制御系を機能的に示すブロック図。
【図７】図６の制御系の一部を構成するタッチセンサ回路を機能的に示すブロック図。
【図８ａ】図２のレーザ照射装置のヘッド部から第１の風船ユニットに向けてレーザ光の照射を開始した直後の状態を示す図。
【図８ｂ】図８ａのレーザ光の照射により第１の風船ユニットの内側の黒色の風船のみが破裂した状態を示す図。
【図９ａ】図２のレーザ照射装置のヘッド部から第２の風船ユニットに向けてレーザ光の照射を開始した直後の状態を示す図。
【図９ｂ】図９ａのレーザ光の照射により第２の風船ユニットの外側の黒色の風船のみが破裂した状態を示す図。
【図１０】図８ａに示した第１の風船ユニットと異なる他の構造の第１の風船ユニットに向けてレーザ照射装置のヘッド部からレーザ光の照射を開始した直後の状態を示す図。
【符号の説明】
【００３８】
１…美容処理作用実演装置、３…トリートメント装置、５…レーザ照射装置、１５，１７…第１の風船ユニット、１５ｂ，１６ｂ，１７ｂ…黒色の風船、１５ｈ，１６ｈ…肌色の風船、１６…第２の風船ユニット、１８…ヘッド部、２０…レーザダイオード、２２…レーザ駆動回路、２４…導光レンズ、２９…設定スイッチ、Ｌ…レーザ光。
【図１】
0003112708.tif 000003
【図２】
0003112708.tif 000004
【図３】
0003112708.tif 000005
【図４】
0003112708.tif 000006
【図５】
0003112708.tif 000007
【図６】
0003112708.tif 000008
【図７】
0003112708.tif 000009
【図８ａ】
0003112708.tif 000010
【図８ｂ】
0003112708.tif 000011
【図９ａ】
0003112708.tif 000012
【図９ｂ】
0003112708.tif 000013
【図１０】
0003112708.tif 000014